【手続補正書】
【提出日】平成18年11月29日(2006.11.29)
【手続補正１】
【補正対象書類名】特許請求の範囲
【補正対象項目名】全文
【補正方法】変更
【補正の内容】
【特許請求の範囲】
【請求項１】
上方に開口した有底円筒形状の処理槽本体と、
該処理槽本体の下部に形成された排出口から該処理槽本体の外方に向かって斜め下方に延び出して形成された再生はんだ排出路と、
前記処理槽本体を所定温度に加熱するヒータ手段と、
前記処理槽本体の周りを覆うようにして該処理槽本体と一体的又は固定的に設けられ、該処理槽本体を所定の支持面上に載置状態で支持せしめる外部筐体と、
前記処理槽本体よりも一回り小さな有底円筒形状を有すると共に、壁部において多数の通孔が貫通して設けられており、該処理槽本体に収容状態で取り出し可能に配設されてはんだドロスが投入される内籠と、
該内籠の前記処理槽本体に対する中心軸回りでの相対回転を阻止する籠回転防止機構と、
前記処理槽本体及び／又は前記外部筐体の上端面に重ね合わせられて着脱可能に取り付けられ、該処理槽本体の上方への開口を覆蓋する蓋体と、
該蓋体の前記処理槽本体に対する中心軸回りでの相対回転を阻止する蓋回転防止機構と、
前記蓋体を貫通して中心軸上に延びるように配設されて、該蓋体によって回動可能に支持された回動軸と、
該回動軸において前記蓋体から上方に突出した部分に設けられて、該回動軸を人力で回動操作するための操作ハンドルと、
前記回動軸において前記蓋体から下方に突出した部分に設けられて前記処理槽本体に収容された前記内籠内で該回動軸と一体的に回動せしめられる攪拌部と
を、備えていると共に、
前記攪拌部が、
前記回動軸の略軸直角方向に延びる棒状の横攪拌部材と、
前記回動軸に対して該回動軸の軸直角方向に離隔位置して、前記処理槽本体内部における外周縁部で略軸方向に延びる縦攪拌部材と
を、含んで構成されているはんだドロス再生装置。
【請求項２】
前記蓋回転防止機構が、
前記処理槽本体及び／又は前記外部筐体と前記蓋体の少なくとも何れか一方に形成される蓋回転防止凸部と、
前記処理槽本体及び／又は前記外部筐体と前記蓋体の少なくとも他方において前記蓋回転防止凸部に対応する位置に形成される蓋回転防止凹部と
を、含んで構成されており、該蓋回転防止凸部と該蓋回転防止凹部とが互いに係合せしめられることにより該蓋体の該処理槽本体に対する中心軸回りでの相対回転が防止されている請求項１に記載のはんだドロス再生装置。
【請求項３】
前記籠回転防止機構が、
前記処理槽本体と前記内籠の少なくとも何れか一方に形成される籠回転防止凸部と、
前記処理槽本体と前記内籠の少なくとも他方において前記籠回転防止凸部に対応する位置に形成される籠回転防止凹部と
を、含んで構成されており、該籠回転防止凸部と該籠回転防止凹部とが互いに係合せしめられることにより該内籠の該処理槽本体に対する中心軸回りでの相対回転が防止されている請求項１又は２に記載のはんだドロス再生装置。
【請求項４】
前記ヒータ手段が、
前記処理槽本体の底壁外面に取り付けられた底面ヒータと、
前記処理槽本体の周壁外面に取り付けられた側面ヒータと
を、含んで構成されている請求項１乃至３の何れかに記載のはんだドロス再生装置。
【請求項５】
前記処理槽本体と前記外部筐体の対向面間に隔熱材が介装されており、該処理槽本体と該外部筐体との間での熱の伝達が防止されている請求項１乃至４の何れかに記載のはんだドロス再生装置。
【請求項６】
前記蓋体が、上部蓋板部材と下部蓋板部材とを含んで構成されており、該上部蓋板部材と該下部蓋板部材との間での熱の伝達を防止する断熱材が該上部蓋板部材と該下部蓋板部材の間に介装されている請求項１乃至５の何れかに記載のはんだドロス再生装置。
【手続補正２】
【補正対象書類名】明細書
【補正対象項目名】００１３
【補正方法】変更
【補正の内容】
【００１３】
すなわち、本発明の第１の態様は、上上方に開口した有底円筒形状の処理槽本体と、該処理槽本体の下部に形成された排出口から該処理槽本体の外方に向かって斜め下方に延び出して形成された再生はんだ排出路と、前記処理槽本体を所定温度に加熱するヒータ手段と、前記処理槽本体の周りを覆うようにして該処理槽本体と一体的又は固定的に設けられ、該処理槽本体を所定の支持面上に載置状態で支持せしめる外部筐体と、前記処理槽本体よりも一回り小さな有底円筒形状を有すると共に、壁部において多数の通孔が貫通して設けられており、該処理槽本体に収容状態で取り出し可能に配設されてはんだドロスが投入される内籠と、該内籠の前記処理槽本体に対する中心軸回りでの相対回転を阻止する籠回転防止機構と、前記処理槽本体及び／又は前記外部筐体の上端面に重ね合わせられて着脱可能に取り付けられ、該処理槽本体の上方への開口を覆蓋する蓋体と、該蓋体の前記処理槽本体に対する中心軸回りでの相対回転を阻止する蓋回転防止機構と、前記蓋体を貫通して中心軸上に延びるように配設されて、該蓋体によって回動可能に支持された回動軸と、該回動軸において前記蓋体から上方に突出した部分に設けられて、該回動軸を人力で回動操作するための操作ハンドルと、前記回動軸において前記蓋体から下方に突出した部分に設けられて前記処理槽本体に収容された前記内籠内で該回動軸と一体的に回動せしめられる攪拌部とを、備えていると共に、前記攪拌部が、前記回動軸の略軸直角方向に延びる棒状の横攪拌部材と、前記回動軸に対して該回動軸の軸直角方向に離隔位置して、前記処理槽本体内部における外周縁部で略軸方向に延びる縦攪拌部材とを、含んで構成されていることを、特徴とする。
【手続補正３】
【補正対象書類名】明細書
【補正対象項目名】００１４
【補正方法】変更
【補正の内容】
【００１４】
このような本態様に従う構造とされたはんだドロスの再生装置においては、攪拌部によって処理槽本体に収容されたはんだドロスを攪拌することにより、再利用できる溶融はんだを、特殊なヒータ手段によって高温に加熱することなく、効率よくはんだドロスから分離することが出来る。また、内籠と処理槽本体との相対回転が籠回転防止機構によって阻止されることにより、高い粘性を備える溶融はんだとはんだ酸化物と溶融はんだが混合されたシャーベット状のはんだドロスの流速が、内籠内壁との摩擦によって攪拌部の回転速度に対して相対的に十分に遅くされる。それ故、攪拌部によって有利にはんだドロスを攪拌することが可能となって、分離の効率を高めることが出来る。加えて、縦攪拌部材と横攪拌部材の組み合わせを攪拌部に採用することにより、はんだドロス全体を満遍なく攪拌することが出来て、溶融はんだと酸化物との分離を効率よく行うことが可能となる。また、蓋体と処理槽本体との相対回転が蓋回転防止機構によって阻止されることにより、操作ハンドルに作用せしめられる外力が攪拌部に有利に伝達されて、はんだドロスの攪拌を効率よく行うことが出来る。
【手続補正４】
【補正対象書類名】明細書
【補正対象項目名】００１５
【補正方法】変更
【補正の内容】
【００１５】
また、本発明の第２の態様は、前記第１の態様に係るはんだドロス再生装置において、前記蓋回転防止機構が、前記処理槽本体及び／又は前記外部筐体と前記蓋体の少なくとも何れか一方に形成される蓋回転防止凸部と、前記処理槽本体及び／又は前記外部筐体と前記蓋体の少なくとも他方において前記蓋回転防止凸部に対応する位置に形成される蓋回転防止凹部とを、含んで構成されており、該蓋回転防止凸部と該蓋回転防止凹部とが互いに係合せしめられることにより該蓋体の該処理槽本体に対する中心軸回りでの相対回転が防止されていることを、特徴とする。
【手続補正５】
【補正対象書類名】明細書
【補正対象項目名】００１７
【補正方法】変更
【補正の内容】
【００１７】
また、本発明の第３の態様は、前記第１又は第２の態様に係るはんだドロス再生装置において、前記籠回転防止機構が、前記処理槽本体と前記内籠の少なくとも何れか一方に形成される籠回転防止凸部と、前記処理槽本体と前記内籠の少なくとも他方において前記籠回転防止凸部に対応する位置に形成される籠回転防止凹部とを、含んで構成されており、該籠回転防止凸部が該籠回転防止凹部に対して挿通せしめられることにより該処理槽本体に対する該内籠の相対回転が防止されていることを、特徴とする。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
また、本発明の第４の態様は、前記第１乃至第３の何れかの態様に係るはんだドロス再生装置において、前記ヒータ手段が、前記処理槽本体の底壁外面に取り付けられた底面ヒータと、前記処理槽本体の周壁外面に取り付けられた側面ヒータとを、含んで構成されていることを、特徴とする。
【手続補正９】
【補正対象書類名】明細書
【補正対象項目名】００２３
【補正方法】変更
【補正の内容】
【００２３】
また、本発明の第５の態様は、前記第１乃至第４の何れかの態様に係るはんだドロス再生装置において、前記処理槽本体と前記外部筐体の対向面間に隔熱材が介装されており、該処理槽本体と該外部筐体との間での熱の伝達が防止されていることを、特徴とする。
【手続補正１０】
【補正対象書類名】明細書
【補正対象項目名】００２５
【補正方法】変更
【補正の内容】
【００２５】
また、本発明の第６の態様は、前記第１乃至第５の何れかの態様に係るはんだドロスの再生装置において、前記蓋体が、上部蓋板部材と下部蓋板部材とを含んで構成されており、該上部蓋板部材と該下部蓋板部材との間での熱の伝達を防止する隔熱材が該上部蓋板部材と該下部蓋板部材の間に介装されていることを、特徴とする。
【手続補正１１】
【補正対象書類名】明細書
【補正対象項目名】００８１
【補正方法】変更
【補正の内容】
【００８１】
また、前記実施形態に示されているように、攪拌機構１０８は、上下の水平攪拌金具１３６，１３８と鉛直攪拌金具１４０とを有する構成が攪拌性能から望ましいが、本発明に関連する参考例としては、例えば、攪拌金具として水平攪拌金具のみを有する構成や、鉛直攪拌金具のみを有する構成なども適宜に採用され得る。
【手続補正１２】
【補正対象書類名】明細書
【補正対象項目名】００８２
【補正方法】変更
【補正の内容】
【００８２】
また、前記実施形態においては、水平方向に延びる上下の水平攪拌金具１３６，１３８によって横攪拌部材を構成すると共に、鉛直方向に延びる鉛直攪拌金具１４０によって縦攪拌部材を構成していたが、本発明に関連する参考例としては、横攪拌部材及び縦攪拌部材は、必ずしも攪拌軸金具１２４の軸直角方向及び軸方向である水平方向及び鉛直方向に延びる形態でなくて良く、例えば、斜め下方若しくは斜め上方に延びる部材によって攪拌部材を構成することも可能である。
【手続補正１３】
【補正対象書類名】明細書
【補正対象項目名】００８３
【補正方法】変更
【補正の内容】
【００８３】
さらに、前記実施形態においては、上下の水平攪拌金具１３６，１３８と鉛直攪拌金具１４０は、共に金属製の棒材で形成されていたが、本発明に関連する参考例としては、例えば、板形状を有するヘラ状の攪拌金具等も採用され得る。
【手続補正１４】
【補正対象書類名】明細書
【補正対象項目名】００８４
【補正方法】変更
【補正の内容】
【００８４】
更にまた、前記実施形態においては、攪拌軸金具１２４は、全長に亘って略言って断面形状の棒材によって構成されていたが、本発明に関連する参考例としては、例えば、攪拌軸金具１２４の攪拌金具１３６，１３８，１４０が取り付けられる部分を略板形状を有するヘラ状することにより、攪拌金具として機能させることも可能である。
【手続補正１５】
【補正対象書類名】明細書
【補正対象項目名】００８５
【補正方法】変更
【補正の内容】
【００８５】
さらに、前記実施形態に示されているように、上下の水平攪拌金具１３６，１３８の先端部が分離籠９２の内周面近くまで延び出すと共に、鉛直攪拌金具１４０の先端部が分離籠９２の底壁内面近くまで延び出すようにされていることが望ましいが、本発明に関連する参考例としては、例えば、上下の水平攪拌金具１３６，１３８は、より短い部材長を有していても良いし、鉛直攪拌金具１４０は、より短い部材長を有しており、ドロス溶融槽１６内に収容されるはんだドロスの上面に先端部が浸っているような態様であっても良い。